(57)【特許請求の範囲】
【請求項１】
冷媒入口（１６）と冷媒出口（１７）とを有する受液器本体（１１）内に、一方の開放口から挿入された乾燥剤（１３）及びフィルター（１５）とを備え、前記受液器本体（１１）の開放口を開放口閉塞部材（３３）で閉塞し、前記フィルター（１５）の一端を、前記受液器本体（１１）内に支持され、液相冷媒が通過する開口孔（３７）が設けられた固定プレート（３１）で、フィルター（１５）の他端を、前記開放口閉塞部材（３３）でそれぞれ支持する一方、前記固定プレート（３１）の開口孔（３７）は、フィルター（１５）に設けられた開口孔挿入部（５７）が挿入される連続した所定の挿入接触領域を有する円筒部（５５）となっていることを特徴とする受液器。
【請求項２】
固定プレート（３１）の開口孔（３７）は、乾燥剤（１３）の容器本体（２１）が通過できる孔径に設定されていることを特徴とする請求項１記載の受液器。
【発明の詳細な説明】
【０００１】
【発明の属する技術分野】
この発明は、自動車用空気調和装置に適する受液器に関する。
【０００２】
【従来の技術】
一般に、自動車用空気調和装置に用いられる受液器は、凝縮器において凝縮液化された液相冷媒を貯える外に、液相冷媒中に混入した小さな異物や水分等を取除く機能を備えており、例えば、特開平９−３２４９６２号公報が知られている。
【０００３】
受液器の概要は、図１３に示すように、受液器本体１０１内の上位側に水分を吸収する乾燥剤１０３が、下位側に混入した小さな異物を取除くフィルター１０５がそれぞれ配置され受液器本体１０１は、凝縮器１０７のヘッダパイプ１０９に取付けられている。
【０００４】
受液器本体１０１とヘッダパイプ１０９とは、冷媒入口１１１と冷媒出口１１３とを介して連通し、冷媒入口１１１からの液相冷媒は、乾燥剤１０３、フィルター１０５を通過する時に、小さな異物及び水分等が取除かれ、冷媒出口１１３へ向かうようになっている。
【０００５】
フィルタ１０５は、受液器本体１０１の底部開放口に設けられた開放口閉塞部材１１５によって固定支持されている。
【０００６】
開放口閉塞部材１１５は、図１４に示すように、円筒体１１７と蓋部１１９とから成っている。
【０００７】
円筒体１１７は、さらに、前記蓋部１１９が着脱自在に装着された装着部１２１と、装着部１２１から一体に受液器本体１０１内へ延長された円筒状の支持部１２３とで形成され、その支持部１２３内に前記フィルター１０５が配置された構造となっている。
【０００８】
【発明が解決しようとする課題】
開放口閉塞部材１１５は、装着部１２１の内側内壁面が仕上面となっていて、蓋部１１９との確実なシール性を確保する主要な機能の外に、支持部１２３によってフィルター１０５の支持を兼ねる形状となっている。
【０００９】
このために、例えば仮想線で示すように、フィルター１０５の上下の寸法を長くして容積の拡大を図ると、それに対応して支持部１２３も延長しなくてはならず、開放口閉塞部材１１５は、全体の形状が大きくなり大型化する。
【００１０】
しかも、フィルターの大きさに対応した開放口閉塞部材１１５をそれぞれ作らなくてはならず、加工性の面において望ましくないこと、しかも、コストアップにつながる等の問題が起きる。
【００１１】
そこで、この発明は、簡単な工夫によりコストアップにつながることなく、しかも、フィルターの大きさに影響されず確実な支持を可能にした受液器を提供することを目的としている。
【００１２】
【課題を解決するための手段】
前記目的を達成するために、この発明の請求項１によれば、冷媒入口（１６）と冷媒出口（１７）とを有する受液器本体（１１）内に、一方の開放口から挿入された乾燥剤（１３）及びフィルター（１５）とを備え、前記受液器本体（１１）の開放口を開放口閉塞部材（３３）で閉塞し、前記フィルター（１５）の一端を、前記受液器本体（１１）内に支持され、液相冷媒が通過する開口孔（３７）が設けられた固定プレート（３１）で、フィルター（１５）の他端を、前記開放口閉塞部材（３３）でそれぞれ支持する一方、前記固定プレート（３１）の開口孔（３７）は、フィルター（１５）に設けられた開口孔挿入部（５７）が挿入される連続した所定の挿入接触領域を有する円筒部（５５）となっていることを特徴とする。
【００１３】
これにより、フィルターの上端は固定プレートで、下端は開放口閉塞部材によってそれぞれ独立して支持される。
【００１４】
したがって、固定プレートは、一方の開放口閉塞部材の支持面を基準として取付け位置を単独で調節することが可能となるため、例えば、上下方向に長くして容積の拡大を図ったフィルターに対しても確実な支持状態が得られる。この場合、フィルターの上下寸法に合わせて固定プレートの取付け位置を設定することで対応が図れるため、開放口閉塞部材の大型化を招くことはない。しかも、固定プレートは、形状が単純な一枚のプレート形状のため、加工が容易になると共にコストアップを招く虞れもない。
【００１６】
また、フィルターの開口孔挿入部の外周面は、円筒部の内壁面と連続した所定の挿入接触領域が確保されるため、確実なシール状態が得られるようになる。この結果、液相冷媒は、外を通ることなく、フィルター内を確実に通過するようになる。
【００１７】
また、この発明の請求項２によれば、固定プレートの開口孔を、乾燥剤の容器本体が通過できる孔径に設定する。
【００１８】
これにより、乾燥剤の容器本体を受液器本体内に組込む時に、開放口閉塞部材を外した一方の開放口から乾燥剤の容器本体を挿入すれば、開口孔を無理なく通過し、固定プレートの上に支障なくセットすることが可能となる。
【００１９】
【発明の効果】
以上のようにこの発明の受液器によれば、フィルターの上端を固定プレートで、下端を開放口閉塞部材によってそれぞれ独立して支持することができる。したがって、一方の開放口閉塞部材の支持面を基準として、固定プレートの取付け位置を独立して調節することが可能となるため、上下方向に長くして容積の拡大を図ったフィルターに対しても確実な支持状態を得ることができる。
【００２０】
また、フィルターの上下寸法に合わせて固定プレートの取付け位置を設定することで対応が図れるため、フィルターの一端を支持する開放口閉塞部材の大型化を招くことはない。しかも、固定プレートは、形状が単純な一枚のプレート形状のため、加工が容易になると共にコストアップを招く虞れもない。
【００２１】
また、連続した所定の挿入接触領域を有する円筒部によって、確実なシール状態が得られるようになり、液相冷媒は、外を通ることなく、フィルター内を確実に通過するようになる。
【００２２】
また、固定プレートの開口孔内を無理なく乾燥剤の容器本体を通過させることができるため、固定プレートの上に支障なくセットすることができる。
【００２３】
【発明の実施の形態】
以下、図１乃至図４の図面を参照しながらこの発明の第１の実施形態について具体的に説明する。
【００２４】
図１において、１は凝縮器、３は凝縮器１の側方に配置された受液器をそれぞれ示している。
【００２５】
凝縮器１は、図２に示すように過冷却部一体型のタイプとなっていて、左右一対のヘッダパイプ５，５と、ヘッダパイプ５とヘッダパイプ５とを上下方向に交互に積層した冷却コアを構成するフィン付きの冷却チューブ９とを有している。ヘッダパイプ５，５には、冷却チューブ９の両端がそれぞれ挿入されると共に、凝縮部７ａと過冷却部７ｂとを仕切る仕切板１０が設けられている。したがって、図外の圧縮機から送り出された高温・高圧の気相冷媒が入口パイプ５ａを介して一方のヘッダパイプ５から導入され、冷却チューブ９を通過する時に、その気相冷媒を冷却し凝縮液化するようになっており、その凝縮液化された液相冷媒は他方のヘッダパイプ５で集めた後、前記受液器３内に貯留されるようになっている。なお、受液器３で気液分離され、過冷却部７ｂに送り出された冷媒は、さらに、冷却チューブ９において冷却され、出口パイプ５ｂから図外のエバポレータへ送り出される。
【００２６】
受液器３は、図１に示すように前記一方のヘッダパイプ５に沿って固定支持された上下に長い筒状の受液器本体１１内の上位側に乾燥剤１３が、下位側にフィルター１５がそれぞれ配置され、前記ヘッダパイプ５と、冷媒入口１６及び冷媒出口１７を介して接続連通し、液体と気体とに分離して液冷媒を一時的に貯えるようになっている。
【００２７】
乾燥剤１３は、液相冷媒中の水分を吸収するもので、シリカゲル、あるいは、モレキュラシーブ等が用いられており、フェルトで作られた筒状の容器本体２１内に充填されている。
【００２８】
フィルター１５は、上方にフランジ部２３を有する円筒体２５の周壁面に、小さな異物の通過を阻止するメッシュに作られた網目部材２７が装着された形状となって、フランジ部２３の中央部位に設けられた開口部２９から内部に入った液相冷媒が網目部材２７を通過する時に液相冷媒中に混入された小さな異物が取除かれるようになっている。
【００２９】
フィルター１５の上方のフランジ部２３は、前記受液器本体１１内に独立して支持された固定プレート３１によって支持され、フィルター１５の底部は、開放口閉塞部材３３を構成する蓋部３５によって支持されている。
【００３０】
固定プレート３１は、一枚の円板状に形成され、中央部位に液相冷媒が通過する開口孔３７を有し、受液器本体１１の内周面と接触し合う周端縁は外からカシメＰによって固定支持されている。
【００３１】
したがって、図４に示すように突合せ面３９をロウ付けして受液器本体１１を構成するタイプにあっては、そのロウ付部の開きを阻止するメリットが得られる。
【００３２】
また、固定プレート３１の開口孔３７は、前記乾燥剤１３が充填された容器本体２１の外径より径大に作られていて、容器本体２１が開口孔３７を支障なく通過できるようになっている。
【００３３】
なお、固定プレート３１は、必ずしもカシメＰによる取付けにこだわらない。例えば、図５と図６に示すように、受液器本体１１の周壁面に、固定プレート３１を挿入する固定プレート３１の厚みを同一のスリット４１をほぼ１８０度の領域にわたって設ける一方、固定プレート３１に、前記スリット４１内に臨む半円弧状のフランジ３１ａを設け、固定プレート３１を受液器本体１１の外から固定支持できるようにしてもよい。
【００３４】
開放口閉塞部材３３は、装着部４３と前記した蓋部３５とから成り、装着部４３は、前記受液器本体１１の底部開放口に挿入され、ロウ付けされた形状となっている。
【００３５】
装着部４３の内壁面は、前記蓋部３５とのシール性が確保される仕上面に作られている。また、蓋部３５が装着された装着部４３の開口４５は、乾燥剤１３の容器本体２１とフィルター１５とを下から受液器本体１１内に挿入するための出し入れ口となっている。
【００３６】
蓋部３５は、周溝４７に沿ってＯリング４０が設けられると共に、つまみ部４９を有している。
【００３７】
蓋部３５は、装着部４３への挿入完了後、着脱可能な支持ワッシャ５１により支持され、支持ワッシャ５１を外した後、つまみ部４９をもって下方へ引張れば、蓋部３５の取り外しが可能となる。
【００３８】
このように構成された受液器３について説明すると、まず、フィルター１５の寸法に合わせて、蓋部３５の支持面３５ａからの取付け位置を設定し、固定プレート３１を受液器本体１１に固定支持した後、装着部４３の開口４５から、始めに乾燥剤１３の容器本体２１を挿入し、固定プレート３１の開口孔３７を通過させた後、開口孔３７より偏位させて仮支持させる。次に、フィルター１５を開口孔３７から挿入し、フランジ部２３が固定プレート３１に当るまで一杯に挿入した後、続いて蓋部３５を挿入しフィルター１５の下側を支持する。次に、支持ワッシャ５１を装着することで、乾燥剤１３の容器本体２１とフィルター１５との組付けが完了する。
【００３９】
この時、フィルター１５の上側を支持する固定プレート３１は、独立しているため、蓋部３５の支持面３５ａを基準として取付け位置を単独で調節することが可能となる。この結果、例えば、上下方向に長くして容積の拡大を図ったフィルター１５に対しても確実な支持状態が得られる。この時、下側を支持する開放口閉塞部材３３は大きくする必要はなく、大型化を招くことはない。また、固定プレート３１は、形状が単純な一枚のプレート形状のため、加工が容易になると共に、コストアップを招く虞れもない。
【００４０】
なお、この実施形態の場合、図７に示すように、円板状のフェルト５３を多段に重ね合わせた積層構造のフィルター１５としても同様の効果が期待できる。
【００４１】
一方、前記のようにして組付けられた受液器３によれば、冷媒入口１６からの液相冷媒は、乾燥剤１３、フィルター１５をそれぞれ通過する時に、液相冷媒中に含まれる水分及び小さな異物が取除かれ、冷媒出口１７へ向かうようになる。
【００４２】
図８と図９は固定プレート３１とフィルター１５の第２の実施形態を示したものである。
【００４３】
即ち、固定プレート３１の開口孔３７を、上方に立上がる円筒部５５の形状とする一方、フィルター１５の上面側中央部位に、前記円筒部５５内に嵌挿される開口孔挿入部５７を設けるようにするものである。
【００４４】
なお、他の構成要素は、第１の実施形態と同一のため、同一符号を符して詳細な説明を省略する。
【００４５】
したがって、この第２の実施形態によれば、第１の実施形態の効果に加えて、開口孔挿入部５７と円筒部５５との連続した所定の挿入接触領域によって、確実なシール領域が確保されるため、冷媒入口１６からの液相冷媒は、フィルター１５の外を通らず、確実に内部を通過するようになる。このため、液相冷媒中に混入した小さな異物を確実に取除くことができる。
【００４６】
この場合、図１０に示す如く、固定プレート３１の外周端縁を、下方へ短く屈曲する屈曲部５９を有する形状としてもよい。
【００４７】
したがって、この実施形態によれば、屈曲部５９によって、受液器本体１１の内壁面との接触領域が拡大すると共に、確実なカシメＰ状態が得られる。
【００４８】
前記した、第２実施形態の場合、図１１と図１２に示すように、芯材６１を中心として渦巻状にフェルト６３を巻いた渦巻形状のフィルター１５を採用しても同様の効果が期待できる。なお、図２の凝縮器１は、上下逆にして使用することも可能である。
【図面の簡単な説明】
【図１】この発明にかかる受液器を凝縮器のヘッダパイプに取付けた切断面図。
【図２】受液器を凝縮器のヘッダパイプに取付けた全体の斜視図。
【図３】受液器本体から乾燥剤の容器本体とフィルターと蓋部とを取外した状態の説明図。
【図４】固定プレートのカシメ状態を示した説明図。
【図５】固定プレートをスリットによって支持するようにした説明図。
【図６】図５の固定プレートの支持完了状態を示した断面図。
【図７】フェルトタイプとした積層構造のフィルターを固定プレートと蓋部とで支持した説明図。
【図８】固定プレートの開口孔を円筒体とする一方、フィルターの上面中央部位に前記円筒体と嵌挿し合う開口孔挿入部を設けた第２実施形態を示す説明図。
【図９】図８のフィルターの支持完了状態を示した説明図。
【図１０】固定プレートの外周端縁を屈曲して支持面積の拡大を図った図８と同様の説明図。
【図１１】第２の実施形態においてフェルトによる渦巻構造のフィルターとした説明図。
【図１２】図１１を上からみた概要平面図。
【図１３】従来例を示した受液器の断面図。
【図１４】従来例のフィルターの支持状態を示した説明図。
【符号の説明】
１１  受液器本体
１３  乾燥剤
１５  フィルター
１６  冷媒入口
１７  冷媒出口
３１  固定プレート
３３  開放口閉塞部材
【図１】
0004190668.tif 000002
【図２】
0004190668.tif 000003
【図３】
0004190668.tif 000004
【図４】
0004190668.tif 000005
【図５】
0004190668.tif 000006
【図６】
0004190668.tif 000007
【図７】
0004190668.tif 000008
【図８】
0004190668.tif 000009
【図９】
0004190668.tif 000010
【図１０】
0004190668.tif 000011
【図１１】
0004190668.tif 000012
【図１２】
0004190668.tif 000013
【図１３】
0004190668.tif 000014
【図１４】
0004190668.tif 000015